(57)【要約】      （修正有）【課題】陰茎が収縮時や勃起時にサイズが変化するに伴い陰茎に装着する器具のサイズが可変し、常に外れない事と勃起時締め付けて痛くならない事とを満たした仮性包茎矯正器具を提供する。【解決手段】ゴムチューブ１の長手方向の中央に切り込みを入れ、切れ残った部位を伸縮するヒンジ２として機能させ、その切り込み口が開口する方向に折り曲げ全体的にＶ字型を成し、その開口部４箇所にそれぞれ円筒型永久磁石３をはめ込み、その磁石に接続用鉄球４または球型磁石又は円筒型磁石を組み合わせて連結接続させ全体的にリング型を成す形状とする。【選択図】図２
0003200178.tif 000002
【実用新案登録請求の範囲】
【請求項１】
柔軟性があり中空からなるゴムチューブにおいて長手方向の中心部に切り込みを入れ、切れ残った部位を伸縮するヒンジとして機能させ、該切れ込み口が開口する方向に折り曲げ、全体的にＶ字型を成す形状の本体からなり、該Ｖ字型本体中空チューブ開口部４箇所にそれぞれ差込用円筒型磁石をはめ込み、該差込用円筒型磁石に鉄球を吸着させて接続し全体的にリング状を成す事を特徴とした仮性包茎矯正器具
【請求項２】
請求項１に記載の仮性包茎矯正器具であって、前記鉄球の代わりに球型永久磁石、または、鉄球と球型永久磁石の混合組み合わせにより吸着させて接続し全体的にリング状を成すことを特徴とした仮性包茎矯正器具
【請求項３】
請求項１と請求項２に記載の仮性包茎矯正器具であって、Ｖ字型本体の開閉する部位のチューブに差し込んだ左右の差込用円筒型永久磁石に接続する両鉄球の間に開閉部接続用円筒型磁石を接続することを特徴とした仮性包茎矯正器具
【請求項４】
請求項１から請求項３の仮性包茎矯正器具であって、該鉄球並びに球型永久磁石並びに差込用円筒型磁石および接続用円筒型磁石の各々の表面色は銀色、金色、赤、黒、青、緑、ニッケルメッキ色と多色であって、そのサイズの組み合わせ、組み合わせる個数、並びに色の組み合わせが自在に出来ることを特徴とした仮性包茎矯正器具。
【考案の詳細な説明】
【技術分野】
【０００１】  本考案は、男性器の陰茎部へ装着する仮性包茎矯正器具に関するものである。
【背景技術】
【０００２】  従来、仮性包茎矯正器具は男性器の陰茎部（以下陰茎と呼称）が収縮している時においても包皮が亀頭に被ってこないようにせき止めて固定し亀頭を露出させ続ける為の器具であって、その包皮をせき止める方法の先行技術として陰茎の亀頭環状溝に器具を直接装着して固定する方法、下着に器具を組み込み固定する方法がある。前者の陰茎の亀頭環状溝に直接装着して包皮をせき止める器具の主な物は、合成樹脂を素材としたリング型形状器具とＣ型形状器具、又、ゴムチューブを素材とした器具のＯ字型形状器具又はＵ字型形状器具類があり、それぞれせき止める目的は達成していた。【０００３】  しかしながら、前述の陰茎の亀頭環状溝に直接装着するＣ型、Ｕ型、Ｏ型のほとんどにおいて、その器具の直径は一定であり陰茎の収縮時と勃起時のサイズの変化に順応できなく勃起時に違和感と痛みを伴う構造がほとんどであった。また、痛みの解消構造として一定以上勃起するとその勃起圧で外れる構造の先行技術も存在していた。そのような中で唯一、直径サイズが可変する先行技術もあるが、それはゴム糸の伸び縮み特性を利用したものであって構造が複雑でしかも取り扱いが面倒なうえ耐久性に問題があり、デザイン上にも難点があるという背景があった。
【先行技術文献】
【特許文献】
【０００４】
【特許文献１】特開２００４−１７４１９５号広報
【特許文献２】特願２００１−２２２８４０号広報
【特許文献３】特願２００１−２８５９１４号広報
【特許文献４】特許第５４０６９９９号
【特許文献５】実用新案登録第３１９０２４９号
【考案の概要】
【考案が解決しようとする課題】
【０００５】  本考案は、以上の様な背景を有する陰茎の亀頭環状溝に直接装着するいわゆるリング型において、構造上の難点と耐久性上の難点を解消すべくゴム糸を使用しない構造で陰茎の収縮勃起に連動してリングの直径が可変し、収縮勃起時を問わず常に外れず、勃起時は装着したままでも痛みを伴わない仮性包茎矯正器具の提供を課題とする。
【課題を解決するための手段】
【０００６】  上記課題を解決する為に、本考案は、図１の様に柔軟性のある中空ゴムチューブ素材で該チューブの長手方向の中央部に切り込みを入れ、切れ残った部分を伸び縮みするヒンジとして機能させ、該切り込み口が開口する方向に折り曲げ、その結果全体的にＶ字の形状の本体からなり、該Ｖ字型本体チューブ開口部４箇所にそれぞれチューブ穴差込用円筒型永久磁石（以下差込用円筒型磁石と称す）を挿入し、該差込用円筒型磁石に接続用鉄球（以下鉄球と称す）を吸着接続させ図２の様に全体的にリング型を成す事を特徴としている。【０００７】  この構成において、円周ならびに直径が可変する原理を図１、図２、図３とで説明する。図１は請求項１の構成図である。まず、柔軟性があり均一なサイズの１本の中空チューブ（１）の長手方向の真ん中に切れ込みを入れ、切り残した部分を伸び縮みするヒンジ（２）として機能させ該ヒンジで折り曲げるとＶ字型の本体チューブとなる。そして該Ｖ字型チューブ（１）の４か所の穴の中に差込用円筒型磁石（３）をそれぞれはめ込み該差込用円筒型磁石に鉄球（４）で吸着接続し図２の様なリング型包茎矯正器具を成すものである。【０００８】  この様に仮性包茎矯正器具のヒンジ部はチューブが物理的に繋がっているが、開閉部は鉄球をくっつけると全体がリング型になり、鉄球を引き離すと全体がＶ字状になる。そこでこの開閉部を操作して容易に陰茎に装着したり外したりできる構造である。【０００９】  次に、該リング型仮性包茎矯正器具の円周の長さと直径が可変する原理を、より詳細に説明したのが図３である。図３において、図Ａ−イ、図Ｂ−イ、図Ｃ−イは陰茎の収縮時を表現したイメージ図であり、図Ａーロ、図Ｂーロ、図Ｃーロは陰茎が勃起した時のイメージ図である。【００１０】  その中の図Ｂ−イは陰茎の収縮時の亀頭環状溝付近を輪切りしたイメージ図である。収縮時の陰茎は軟体的であるため、仮性包茎矯正器具本体の左右のチューブが陰茎を押し付けるように矢印方向に働き陰茎は楕円形に変形する。【００１１】  また一方、図Ｂーロは勃起時における陰茎のイメージ図であるが、陰茎は海綿体に血液が充満しているため全体的に丸く太く膨張し、その膨張力は矢印で示すようにチューブ本体を外側に押し広げようとする力が働く。この膨張力ためチューブは全体的に外側に押しやられ、そのため差込用円筒型磁石と鉄球の接続部においてはチューブにかかる力は図の矢印の様に磁石を中心に左右に引っ張られる力が働く。【００１２】  さて、図３Ａ−イの図は陰茎が収縮した時の本体の開閉部を拡大した図である。収縮時において左右のチューブそのものが、２本平行に並ぶ力が働き左右のチューブの間隔は狭くほぼ０ｍｍになる。ところが、その開閉部が勃起時になるとＡ−ロの拡大図で示す通り、それぞれのチューブは外側に引っ張られる力が強く働き図Ａ−ロの様に一文字に近い配列でチューブとチューブの間隔は広くなり、よってＬ１相当分円周が長くなる。【００１３】  同様に、図３Ｃ−イのヒンジ部においても、陰茎の収縮時はチューブに圧力がかからないためチューブが２個平行に並ぼうとする力が働き、チューブとチューブは接近し、左右のチューブはくっついていることからその長さは０ｍｍである。��して、このヒンジ部も陰茎の勃起時は図３Ｃ−ロで示す通り外側に向かって円形に膨張する圧力で、リング状のチューブは引き伸ばされ、ヒンジ部の接続部には矢印の様な左右に引っ張る力が加わり、差込用円筒型磁石が鉄球の左右に移動する。そのためゴムチューブのヒンジが左右に引っ張られヒンジも伸び、その長さはＬ２となりこの長さ分だけ円周が長くなる。以上の説明の通り、開閉部のＬ１とヒンジ部のＬ２の合計の長さ相当分、本体全体の円周が長くなる。【００１４】  また、陰茎が小さく収縮した時に陰茎とリング本体との間に上下２箇所の隙間が出来る。その隙間とは、ヒンジ部周辺と陰茎の間、そして、接続部周辺と陰茎の間であるが、この２か所の隙間が陰茎のサイズの変化に追従できるマチの役目を果たす部分となる。つまり、収縮時は図３Ｂ−イのように隙間があるが、勃起時は図３Ｂ−ロの様に隙間なくリングの中を陰茎が埋め尽くすことになるのでマチとして有効である。
【考案の効果】
【００１５】  以上の説明の通り、勃起時の器具のサイズは収縮時に比べ、差込用円筒型磁石と鉄球の組み合わせ効果と、伸びるヒンジ効果と、ゴムチューブの伸縮性効果とマチ効果の全てが相まって勃起時の仮性包茎矯正器具の円周と直径が長くなり、陰茎の収縮時から勃起時に変化することに追従する。以上を以て収縮から勃起した時に陰茎を締め付けず、しかも外れず痛くないという効果がある。また、勃起時から収縮に移る時はその逆の効果が作用して円周が小さくなるのでこちらも外れないという効果がある。【００１６】  加えて、図３Ｂ−イに示す様に収縮時においては、器具の開閉部とヒンジ部はそれぞれ山形に競り上がっていることから、重度の仮性包茎の収縮時の包皮もこの山形でせき止められる効果がある。また、鉄球及び球型磁石の数や接続する個数によりサイズ調整が容易にできる効果がある。更にはチューブの長さを調整することで自分のサイズに調整できるという効果がある。そして、容易、安価、耐久性、デザイン性に優れた製造が可能になる。
【図面の簡単な説明】
【００１７】
【図１】本考案全体の構成を示す概略断面図である。
【図２】本体をリング状に繋いだ概略図である。
【図３】本考案のリング円周が可変する原理を説明するための図である。
【図４】本体を構成する鉄球または球型磁石の組み合わせ実施例概略図である。
【図５】本体開閉部に接続用円筒型磁石を組み合わせた実施例概略図である。
【図６】本体を陰茎部に装着したイメージ図である。
【考案を実施するための形態】
【００１８】  以下本考案を実施するための形態を図面に基づき説明するが、以後の説明用語でも永久磁石を単に磁石と呼称し図面上では磁石にハッチングしてある。また、柔軟性のある中空のゴムチューブは単にチューブと呼称する。加えて実施例の説明において寸法等を示しているが、これは一例でありこれらの寸法に限定される物ではない。
【実施例１】
【００１９】  図１は請求項１における構造と部材の構成を図示した概略断面図であって、本仮性包茎矯正器具の主要構成物として、外径６ｍｍ、内径４ｍｍ、長さ１０ｃｍの飴色ゴムチューブ（１）の長手方向の中心部に８割程度の深い切り込みを入れ、切れ残った２割程度の部分を伸び縮みするヒンジ（２）として作用させ、該切れ込み口が開口する方向に折り曲げると全体的にＶ字型の形状となり、該Ｖ字型本体チューブ開口部４箇所にそれぞれ差込用円筒型磁石（３）を１個ずつ挿入し、該差込用円筒型磁石に鉄球（４）を吸着接続させ図２の様に全体的にリング状を成す事を特徴とした仮性包茎矯正器具となる。この場合の差込用円筒型磁石の着磁方向は縦方向着磁とし、チューブの穴に差し込む磁極はリング状を形成した時は、一連の磁石配列においてＮ極とＳ極は吸引しあう事とする。【００２０】  尚、実施においてのチューブの素材は、ゴムチューブ以外の合成樹脂、又はエラストマーあるいはシリコンの各チューブの素材でも良い。差込用円筒型磁石（３）は直径４ｍｍ長さ６ｍｍのネオジム磁石を使用し、その表面処理は無毒性で食品機械や医療機器にも使用され食品衛生法にも合格しているナイロン系コーティング加工、または防食性に優れたエポキシ樹脂系コーティングの処理が望ましい。尚、チューブのサイズを変更して実施する場合の差込用円筒型磁石のサイズは、チューブの内径に合わせ簡単に抜けない太さの差込用円筒型磁石である必要がある。【００２１】  また、鉄球（４）は差込用円筒型磁石に吸着する鉄製で、直径は４ｍｍ〜１０ｍｍ程度とし、陰茎の一部に直接触れる可能性が高いため無毒性で食品機械や医療機器にも使用され食品衛生法にも合格しているナイロン系コーティング加工、または防食性に優れたエポキシ樹脂系コーティングで処理が望ましく、球型磁石（５）についても同様である。
【実施例２】
【００２２】  次に請求項２の実施例を図４で示し、接続部に吸着する鉄球または球型磁石の組み合わせ又は個数の違いによる特徴と実施に当たっての適応例も詳述する。【００２３】  後述の請求項２による鉄球の代わりに球型磁石を使用する目的は、陰茎に更に多くの磁力を作用させる血行促進効果と、チューブのホールド力を弱める目的である。その球型磁石実施例としては直径３ｍｍ〜１０ｍｍ程度のネオジム磁石とし、該磁石は陰茎に接触し易いためナイロンコーティング等の表面処理で着磁方向は径方向着磁とする。該磁石と鉄球の組み合わせで、以下９パターンの実施例を説明する。【００２４】  図４の実施例２−Ａは、開閉部に２個の鉄球（４）と、ヒンジ部（２）に１個の鉄球を使用した実施例であるが開閉部の２個の鉄球は共に同じサイズとする。この組み合わせによる特徴は陰茎の収縮時のサイズと勃起時のサイズの差が大きい人に向いている組み合わせである。尚、ヒンジ部においての鉄球のサイズは開閉部の鉄球のサイズと異なってもよい。そして、このことは以下に記述する実施例２−Ｂから実施例２−Ｉ迄においても開閉部とヒンジ部の球のサイズ違いはこれに準じる。【００２５】  次の実施例２−Ｂは開閉部に３個の球型磁石（５）、ヒンジ部に１個の鉄球を使用した実施例である。この組み合わせによる特徴は、収縮時の陰茎のサイズと勃起時のサイズが変わらない人に向く実施例である。ここでは球型磁石を３個連結して実施した例であるが、この連結磁石の数を増減することで器具全体のサイズ調整ができるので陰茎のサイズによっては４連又は２連となる。【００２６】  実施例２−Ｃはヒンジ部に鉄球１個で、接続部に球型磁石２個の上に更に鉄球１個を組み合わせた実施例である。この組み合わせによる特徴は包皮の長い人向きである。図ではピラミッド型の様に球体を組み合わせてあるが、この目的は包皮の長い人向きに実施した場合である。ビラミッドの頂点部分が高くなっているため、長い包皮を阻止できる。【００２７】  実施例２−Ｄは開閉部に１個の鉄球、ヒンジ部に２個の鉄球を使用した実施例である。この組み合わせによる特徴は、収縮時の陰茎のサイズと勃起時のサイズの差が大きい人に向いている実施例である。ヒンジ部に鉄球を２個組み込むことでチューブのホールド力が強くなる効果がある。【００２８】  実施例２−Ｅは開閉部に２個の鉄球、ヒンジ部にも同じく２個の鉄球を使用した実施例である。この組み合わせによる特徴は、陰茎の収縮時のサイズと勃起時のサイズが特に大きい人に向いている実施例である。開閉部とヒンジ部がそれぞれ２個の鉄球で構成するため、チューブのホールド力が最も強い組み合わせである。【００２９】  実施例２−Ｆは開閉部に３個の球型磁石、ヒンジ部に２個の鉄球を使用した実施例である。この組み合わせによる特徴は、収縮時のサイズと勃起時のサイズが変わらない人に向いている実施例である。尚、陰茎のサイズや好みによって前述の実施例２−Ｂか、実施例２−Ｆを選択できる。【００３０】  実施例２−Ｇはヒンジ部に吸着する鉄球は２個で、接続部に吸着する球型磁石２個の上に鉄球１個を組み合わせた実施例である。この組み合わせによる特徴は、包皮の長い人向きである。前述の実施例２−Ｃと効果は同じであるので陰茎のサイズや好みによって実施例２−Ｃか実施例２−Ｇを選択できる。【００３１】  実施例２−Ｈは、開閉部に球型磁石１個ヒンジ部に球型磁石１個を使用した実施例である。この組み合わせによる特徴は図では示してないが全体的に円形に近い形になる。そのためこの組み合わせは収縮時と勃起時のサイズが全く変わらない人向けである。【００３２】  実施例２−Ｉは、開閉部に球型磁石２個ヒンジ部に球型磁石２個を使用した実施例である。図Ｈほどではないが、この組み合わせもホールド力がやや弱いので、収縮時と勃起時のサイズが変わらない人向けである。【００３３】  以上の通り実施例２ではそれぞれ陰茎の特性に合わすことができるように主要な９例を示し説明したが、この組み合わせ以外の組み合わせでも実施できる。尚、実施例でも陰茎のサイズが平均より小さいと思う人は球サイズを小さくすることで対応し、逆に平均より大きな人は球の数を増やすか球のサイズを大きくする等で対応できる。更に大きなサイズ、または小さなサイズは本体チューブの長さを長くしたり短くしたりして調整できる。
【実施例３】
【００３４】  次に請求項３による実施例を図５にて説明する。ここでも実施例１、２と同様のＶ字型本体とヒンジ部に鉄球又は球型磁石を接続する形態であるが、開閉部においては左右の差込用円筒型磁石にそれぞれ鉄球を接続し、鉄球と鉄球の間に接続用円筒型磁石（６）を接続する組み合わせにしたものである。尚、接続用円筒型磁石はネオジム磁石で縦方向着磁とし、その寸法の一例として直径３ｍｍ、長さ８ｍｍで、表面処理等の要件は前述の実施例１並びに実施例２に準じる。【００３５】  実施例２による利点は、球型だけの組み合わせより、円筒型磁石を組み合わせると円筒型磁石が球型磁石よりもカリに引っかかり易いので、はずれ難いという効果が望める。【００３６】  以上述べた球型磁石及び鉄球並びに各円筒型磁石の表面色は請求項４に記載の様に、ニッケルメッキ色以外にファッション性のある、金色、銀色、黒色、赤色、白色、黄色、青色、緑色、等の色でコーティング処理し好みの色で実施する。【００３７】  図６は本体装着イメージ図である。実施例１から実施例３の考案本体を陰茎に装着する時のイメージは、先ずリング状に構成している仮性包茎矯正器具の磁石（４）と磁石の接合部に親指の爪を立て、左右分けるように押込んでこれらを引き離し、解放し開いた状態のまま、ヒンジ部が陰茎の裏筋側にくるように陰茎を跨ぎかぶせた後、磁石と磁石をくっ付けて装着完了となる。外す時も装着時と同様に磁石（４）と磁石の接合部に親指の爪を立て、左右押し分ける様に磁石同士を引き離し、解放した状態で広げたまま陰茎から抜き取れば外すことができる。
【産業上の利用可能性】
【００３８】本考案は、男性器の仮性包茎を矯正するための分野の器具であるが、仮性包茎以外で包皮が放尿口を覆っていて放尿の方向が定まらない人や、要介護状態の仮性包茎の人の放尿を容易にする補助器具として利用すれば便器や床を汚さない等の利用価値がある。
【符号の説明】
【００３９】１、チューブ
２、ヒンジ
３、差込用円筒型永久磁石
４、接続用鉄球
５、接続用球型永久磁石
６、接続用円筒型永久磁石
【図１】
0003200178.tif 000003
【図２】
0003200178.tif 000004
【図３】
0003200178.tif 000005
【図４】
0003200178.tif 000006
【図５】
0003200178.tif 000007
【図６】
0003200178.tif 000008